(57)【要約】【課題】データを蓄積するデータ蓄積部を金庫態様の筐体に収納するようにして、セキュリテイ機能を図ったコンピュータ装置を提供する。【解決手段】コンピュータ装置は、データを蓄積するデータ蓄積部と、このデータ蓄積部に蓄積されているデータを用いて演算処理するホスト部とを少なくとも有するコンピュータであって、データ蓄積部は、セキュリテイ機能、例えば、耐熱、耐火、耐水及び耐震並びに防犯を検出する機能を備えた筐体に収納したことである。【選択図】        図１
2004164094.tif 000002
【特許請求の範囲】
【請求項１】
データを蓄積するデータ蓄積部と、該データ蓄積部に蓄積されているデータを用いて演算処理するホスト部とを少なくとも有するコンピュータであって、
前記コンピュータのうち、少なくとも前記データ蓄積部はセキュリテイ機能を備えた筐体に収納されていることを特徴とするデータ金庫。
【請求項２】
前記セキュリテイ機能は、耐熱、耐火、耐水及び耐震並びに防犯を検出する機能の全て又は何れかの組み合わせ又は何れかの一つである請求項１に記載のデータ金庫。
【請求項３】
前記筐体には、信号線と電源線とを引き込んで前記データ蓄積部に接続する端子部を設け、該端子部はセキュリテイ機能が動作したときに前記信号線と電源線を電気的に遮断する電気遮断手段を備えたことを特徴とする請求項１に記載のデータ金庫。
【発明の詳細な説明】
【０００１】
【発明の属する技術分野】
本発明は、データ金庫に関するものであり、詳しくは、データを蓄積するデータ蓄積部を耐熱耐火及び耐水、耐震並びに防犯を検出する機能を備えた筐体に収納するようにして、非常時において少なくともデータのみを救済するようにしたデータ金庫に関する。
【０００２】
【従来の技術】
従来技術におけるコンピュータ装置、即ち、非常時又はバックアップ体制、並びにセキュリテイを重視したコンピュータ装置は、既に多数の形態が存在する。例えば、物理的に別体の記録装置に常時二重に書き込む等することにより二重のファイルを作成して、片方をバックアップにする手法が周知である。
又、ネットワークを利用して、物理的に離れた地域に存在するコンピュータシステムに保存する手法等、大掛かりであるが実際に駆動しているシステムが存在する。
更に、バックアップとして、空調設備の整った金庫等に書き込んだ媒体、例えばディスク媒体やテープ媒体を格納しておく方法も周知である。
さらに、セキュリテイを重視するために、蓄積データを暗号化したり、操作者を厳重に管理する等様々な手法が存在する。
【０００３】
【特許文献１】
特開平６−３４８３５７号公報  （第３頁  第１図）
【０００４】
【発明が解決しようとする課題】
しかしながら、従来技術で説明したバックアップシステムにおけるバックアップ体制及びセキュリテイを重視する体制はデータそのものに着目したもので、バックアップ又はセキュリテイを確保するために、データを加工して蓄積するか又は物理的に離れた場所の記録媒体に記録する等しており、全体のシステムを構築する際に構成が複雑になり且つ実際の運用の操作に専門家が必要であるという問題がある。
又、貴重な資料が全てデータ化されている中で、データとして蓄積することは理解できても、そのデータが何処に蓄積されているのか、物理的に見えないため、常にデータのセキュリテイ及びデータの行方を把握することに疑問が生じるという問題がある。
【０００５】
従って、日常的に使用されているコンピュータ装置において、非常時に少なくとも現在の蓄積されているデータそのものを物理的に保護できるような構成及び構造に解決しなければならない課題を有する。
【０００６】
【課題を解決するための手段】
上記課題を解決するために、本発明に係るデータ金庫は、次に示す構成にすることである。
【０００７】
（１）データ金庫は、データを蓄積するデータ蓄積部と、該データ蓄積部に蓄積されているデータを用いて演算処理するホスト部とを少なくとも有するコンピュータであって、前記コンピュータのうち、少なくとも前記データ蓄積部はセキュリテイ機能を備えた筐体に収納されていることである。
（２）前記セキュリテイ機能は、耐熱、耐火、耐水及び耐震並びに防犯を検出する機能の全て又は何れかの組み合わせ又は何れかの一つである（１）に記載のコンピュータ装置。
（３）前記筐体には、信号線と電源線とを引き込んで前記データ蓄積部に接続する端子部を設け、該端子部はセキュリテイ機能が動作したときに前記信号線と電源線を電気的に遮断する電気遮断手段を備えたことを特徴とする（１）に記載のコンピュータ装置。
【０００８】
このように、日常的に使用されているコンピュータシステムのうち、少なくともデータ蓄積部を耐熱、耐火、耐水及び耐震並びに防犯を検出する機能を有する筐体に収納した構成にしたことで、非常時には、セキュリテイ機能が動作して筐体内部に収納されているデータ蓄積部に蓄積されているデータは、現状のまま維持することができる。
【０００９】
【発明の実施の形態】
次に、本発明に係るデータ金庫の種々の実施形態について、図面を参照して説明する。
【００１０】
本発明に係る第１の実施形態のデータ金庫は、図１及び図２に示すように、データを蓄積するデータ蓄積部１１と、このデータ蓄積部１１に蓄積されているデータを用いて演算処理するホスト部１２とを少なくとも有するコンピュータを前提として、そのコンピュータを構成するデータ蓄積部１１は、セキュリテイ機能を備えた金庫態様の筐体１３に収納した構成になっている。
【００１１】
ここで、セキュリテイ機能とは、耐熱、耐火、耐水及び耐震並びに防犯を検出する機能の全て又は何れかの組み合わせ又は何れかの一つであり、実施例においては全ての機能が付けられた構成になっている。
【００１２】
又、筐体１３は、所謂、金庫構造に形成され、形成する壁１４及び扉１５に様々な細工を施して、内部にまで、外部からの熱、水等が入り込まない構造になっている。また、実施例においては、筐体１３内部の換気及び温度調節、湿度調節については図示していないが、内部に収納するデータ蓄積部１１が必要とするものは、適宜備え付けられるようになっている。
そして、この筐体１３には、信号線と電源線とを引き込んでデータ蓄積部１１に接続する端子部１６を設け、この端子部１６はセキュリテイ機能が動作したときに信号線と電源線を電気的に遮断する電気遮断手段を備えた構成になっている。ここで、信号が無線により交信できる体制にすれば、当然に信号線は不要になる。
筐体１３の外側には、耐火検出センサー１７、耐熱検出センサー１８、耐震検出センサー１９、防犯検出センサー２０を備え、これらのセンサーは端子部１６を構成するセンサー検出部２１に接続されている。
【００１３】
電気遮断手段は、図２に示すように、所謂、スイッチを制御して電気的に遮断するもので、電源線に接続されているスイッチＳＷ１、信号線に接続されているスイッチＳＷ２、これらのスイッチＳＷ１、ＳＷ２を制御するセンサー検出部２１とからなる。センサー検出部２１は、様々なセンサー１７、１８、１９、２０からの信号を受信してスイッチＳＷ１、ＳＷ２を閉の状態から開の状態に制御して電気的に遮断する。
【００１４】
尚、端子部１６は、実施例においては筐体１３の内部に設置したが、これに限定されることなく、筐体１３の外部に設置するようにしてもよい。
【００１５】
このような構成からなるデータ金庫において、先ず、筐体１３内にデータ蓄積部１１を収納し、電源端子２２及び信号端子２３にデータ蓄積部１１のケーブルを接続する。そして、ホスト部１２側の電源ケーブル２４と信号ケーブル２５を外側に出ている端子に接続すれば、データ蓄積部１１とホスト部１２とからなるコンピュータになる。勿論、この他に、ネットワークへの接続、プリンタへの接続等が必要である。ここで、電源ケーブル２４は、ホスト部１２に接続する必要がなく、直接に供給電源に接続するようにしてもよい。又、データ蓄積部１１が信号線を利用して電源を供給するものであれば、当然にこの電源ケーブル２４の設定は不要になる。
【００１６】
コンピュータの作動中又は停止中であっても、何れかのセキュリテイ機能が動作すると、センサー検出部２１がセンサー１７，１８、１９、２０の検出を検知し、スイッチＳＷ１、ＳＷ２を強制的に閉から開状態にする。すると、データ蓄積部１１は、外部からの電気の供給が断たれ、自己セーブ機能があればそれが動作し、データを現状の状態に維持して停止する。
非常事態が去った後に、扉を開けて収納されているデータ蓄積部１１を動作できる状態にするか、他の位置に移して再駆動させることにより、データ蓄積部１１は正常に動作できるのである。
【００１７】
次に、第２の実施形態のデータ金庫について、図３を参照して説明する。
【００１８】
第２の実施形態のデータ金庫は、データを蓄積するデータ蓄積部１１Ａと、このデータ蓄積部１１Ａに蓄積されているデータを用いて演算処理するホスト部１２Ａとを少なくとも有するコンピュータを前提として、そのコンピュータを構成するデータ蓄積部１１Ａ及びホスト部１２Ａは、セキュリテイ機能を備えた金庫態様の筐体１３に収納した構成になっている。そして、筐体１３に収納されているデータ蓄積部１１Ａ及びホスト部１２Ａに、筐体１３の外部から電源を供給する電源供給部２７を備え、ホスト部１２Ａを操作するためのモニター及びキーボード等の操作手段からなる表示操作部２８を外部に設けた構成になっている。
【００１９】
ここで、セキュリテイ機能とは、上記第１の実施形態で説明したものと同じく、耐熱、耐火、耐水及び耐震並びに防犯を検出する機能の全て又は何れかの組み合わせ又は何れかの一つであり、実施例においては全ての機能が付けられた構成になっている。
【００２０】
又、筐体１３は、上記第１の実施形態で説明したものと同じく、所謂、金庫構造に形成され、形成する壁１４及び扉１５に様々な細工を施して、内部にまで、外部からの熱、水等が入り込まない構造になっている。また、実施例においては、筐体１３内部の換気及び温度調節、湿度調節については、空調部２６により行われる構成になっている。
そして、この筐体１３には、信号線と電源線とを引き込んでデータ蓄積部１１Ａ及びホスト部１２Ａに接続する端子部１６を設け、この端子部１６はセキュリテイ機能が動作したときに信号線と電源線を電気的に遮断する電気遮断手段を備えた構成になっている。ここで、信号が無線で行う場合には、当然に端子部１６の信号線の引き込みをなくすことができる。
筐体１３の外側には、耐火検出センサー１７、耐熱検出センサー１８、耐震検出センサー１９、防犯検出センサー２０を備え、これらのセンサーは端子部１６を構成するセンサー検出部２１に接続されている。
【００２１】
電気遮断手段は、上記第１の実施形態で説明したものと同じく、図２に示すように、所謂、スイッチを制御して電気的に遮断するもので、電源線に接続されているスイッチＳＷ１、信号線に接続されているスイッチＳＷ２、これらのスイッチＳＷ１、ＳＷ２を制御するセンサー検出部２１とからなる。センサー検出部２１は、様々なセンサー１７、１８、１９、２０からの信号を受信してスイッチＳＷ１、ＳＷ２を閉の状態から開の状態に制御して電気的に遮断する。
【００２２】
尚、端子部１６は、実施例においては筐体１３の内部に設置したが、これに限定されることなく、筐体１３の外部に設置するようにしてもよい。
【００２３】
このような構成からなるデータ金庫において、先ず、筐体１３内にデータ蓄積部１１Ａ及びホスト部１２Ａを収納し、電源端子２２及び信号端子２３にホスト部１２Ａのケーブルを接続する。そして、筐体１３の外側で電源ケーブル２４を電源供給部２７に接続し、信号ケーブル２５を表示操作部２８に接続すれば、筐体１３内部に収納したデータ蓄積部１１Ａとホスト部１２Ａとからなるコンピュータになる。勿論、この他に、ネットワークへの接続、プリンタへの接続等が必要である。
【００２４】
コンピュータの作動中又は停止中であっても、何れかのセキュリテイ機能が動作すると、センサー検出部２１がセンサー１７，１８、１９、２０の検出を検知し、スイッチＳＷ１、ＳＷ２を強制的に閉から開状態にする。すると、データ蓄積部１１Ａ及びホスト部１２Ａは、外部からの電気の供給が断たれ、自己セーブ機能があればそれが動作し、データを現状の状態に維持して停止する。
非常事態が去った後に、扉を開けて収納されているデータ蓄積部１１Ａ及びホスト部１２Ａを動作できる状態にするか、他の位置に移して再駆動させることにより、データ蓄積部１１Ａ及びホスト部１２Ａは正常に動作できるのである。
【００２５】
次に、第３の実施形態のデータ金庫について、図４を参照して説明する。
【００２６】
第３の実施形態のデータ金庫は、データを蓄積するデータ蓄積部１１Ｃと、データをバックアップするバックアップデータ蓄積部１１Ｂと、データ蓄積部１１Ｃに蓄積されているデータを用いて演算処理するホスト部１２Ｂとを少なくとも有するコンピュータを前提として、そのコンピュータを構成するバックアップデータ蓄積部１１Ｂのみを、セキュリテイ機能を備えた金庫態様の筐体１３に収納した構成になっている。
【００２７】
ここで、セキュリテイ機能とは、上記第１の実施形態で説明したものと同じく、耐熱、耐火、耐水及び耐震並びに防犯を検出する機能の全て又は何れかの組み合わせ又は何れかの一つであり、実施例においては全ての機能が付けられた構成になっている。
【００２８】
又、筐体１３は、上記第１の実施形態で説明したものと同じく、所謂、金庫構造に形成され、形成する壁１４及び扉１５に様々な細工を施して、内部にまで、外部からの熱、水等が入り込まない構造になっている。また、実施例においては、筐体１３内部の換気及び温度調節、湿度調節については、図示していないが、内部に収納するバックアップデータ蓄積部１１Ｂが必要とするものは、適宜備え付けられるようになっている。
そして、この筐体１３には、信号線と電源線とを引き込んでバックアップデータ蓄積部１１Ｂに接続する端子部１６を設け、この端子部１６はセキュリテイ機能が動作したときに信号線と電源線を電気的に遮断する電気遮断手段を備えた構成になっている。ここで、信号が無線で交信するようにした場合には、信号線は不要になる。
筐体１３の外側には、耐火検出センサー１７、耐熱検出センサー１８、耐震検出センサー１９、防犯検出センサー２０を備え、これらのセンサーは端子部１６を構成するセンサー検出部２１に接続されている。
【００２９】
電気遮断手段は、上記第１の実施形態で説明したものと同じく、図２に示すように、所謂、スイッチを制御して電気的に遮断するもので、電源線に接続されているスイッチＳＷ１、信号線に接続されているスイッチＳＷ２、これらのスイッチＳＷ１、ＳＷ２を制御するセンサー検出部２１とからなる。センサー検出部２１は、様々なセンサー１７、１８、１９、２０からの信号を受信してスイッチＳＷ１、ＳＷ２を閉の状態から開の状態に制御して電気的に遮断する。
【００３０】
尚、端子部１６は、実施例においては筐体１３の内部に設置したが、これに限定されることなく、筐体１３の外部に設置するようにしてもよい。
【００３１】
このような構成からなるデータ金庫において、先ず、筐体１３内にバックアップデータ蓄積部１１Ｂを収納し、電源端子２２及び信号端子２３にホスト部１２Ｂのケーブルを接続すればバックアップデータ蓄積部１１Ｂを備えたホスト部１２Ｂとからなるコンピュータになる。勿論、この他に、ネットワークへの接続、プリンタへの接続等が必要である。ここで、電源ケーブル２４は、ホスト部１２に接続する必要がなく、直接に供給電源に接続するようにしてもよい。又、バックアップデータ蓄積部１１Ｂが信号線を利用して電源を供給するものであれば、当然にこの電源ケーブル２４の設定は不要になる。
【００３２】
コンピュータの作動中又は停止中であっても、何れかのセキュリテイ機能が動作すると、センサー検出部２１がセンサー１７，１８、１９、２０の検出を検知し、スイッチＳＷ１、ＳＷ２を強制的に閉から開状態にする。すると、バックアップデータ蓄積部１１Ｂは、外部からの電気の供給が断たれ、自己セーブ機能があればそれが動作し、データを現状の状態に維持して停止する。
非常事態が去った後に、扉を開けて収納されているバックアップデータ蓄積部１１Ｂを動作できる状態にするか、他の位置に移して再駆動させることにより、バックアップデータ蓄積部１１Ｂは正常に動作できるのである。
【００３３】
【発明の効果】
以上、説明したように、本発明に係るデータ金庫は、少なくともデータが蓄積されているデータ蓄積部を金庫態様の筐体に収納したことにより、目で見てデータのセキュリテイが図れることが確認できると共に、実際に耐火等を検出したときでも、蓄積されているデータを現状の状態で維持できるから、極めて安全性に富んだ装置を提供できるという効果がある。
【図面の簡単な説明】
【図１】本願発明に係る第１の実施形態のデータ金庫を略示的に示した構成図である。
【図２】同、端子部の要部拡大図である。
【図３】本願発明に係る第２の実施形態のデータ金庫を略示的に示した構成図である。
【図４】本願発明に係る第２の実施形態のデータ金庫を略示的に示した構成図である。
【符号の説明】
１１；データ蓄積部、１１Ａ；データ蓄積部、１１Ｂ；バックアップデータ蓄積部、１２；ホスト部、１２Ａ；ホスト部、１２Ｂ；ホスト部、１３；筐体、１４；壁、１５；扉、１６；端子部、１７；耐火検出センサー、１８；耐熱検出センサー、１９；耐震検出センサー、２０；防犯検出センサー、２１；センサー検出部、２２；電源端子、２３；信号端子、２４；電源ケーブル、２５；信号ケーブル、２６；空調部、２７；電源供給部、２８；表示操作部。
【図１】
2004164094.tif 000003
【図２】
2004164094.tif 000004
【図３】
2004164094.tif 000005
【図４】
2004164094.tif 000006